(57)【特許請求の範囲】
【請求項１】
複数の記録されたコンテンツのメタデータの一覧をコンテンツ検索画面で表示するコンテンツ情報表示方法であって、
該各コンテンツ毎に、異なる複数のルールに基づいて、該ルール毎に１以上のサムネール画像を抽出して記憶手段に前記異なる複数のルール毎に夫々記憶し、
該コンテンツ検索画面では、各コンテンツ毎に、該コンテンツの属性データと、該複数のルールのうちのいずれか１つのルールに基づいて抽出された１以上の該サムネール画像とを、該メタデータ一覧として、表示画面における第一表示領域に表示し、
該コンテンツ検索画面で表示される該サムネール画像は、異なるルールによるサムネール画像に、前記第一表示領域上で変更可能であり、
当該異なるルールによるサムネール画像への変更は、
前記コンテンツのメタデータ一覧からいずれか１つのメタデータが選択・決定されることにより、サムネールのルール変更画面が表示画面における第二表示領域に表示され、該ルール変更画面で複数のルールのうちのいずれかが選択されることにより、選択・決定された該メタデータにおいて対応するサムネール画像が、選択された該ルールによる前記サムネール画像に変更される
ことを特徴とするコンテンツ情報表示方法。
【請求項２】
請求項１において、
前記コンテンツから前記サムネール画像を抽出するときの前記複数のルールの優先順位は夫々、前記コンテンツのジャンル毎に設定されており、
前記コンテンツのメタデータを前記コンテンツ検索画面に最初に表示するとき、優先順位が最上位のルールによる前記サムネール画像をデフォルトのサムネール画像として表示する
ことを特徴とするコンテンツ情報表示方法。
【請求項３】
請求項２において、
前記コンテンツ検索画面が表示されるときには、前回表示された前記コンテンツ検索画面での表示終了時に表示されていた前記サムネール画像に対する前記ルールを優先順位が最上位のルールとし、該最上位のルールによる前記サムネール画像をデフォルトのサムネール画像として表示する
ことを特徴とするコンテンツ情報表示方法。
【請求項４】
請求項１，２または３において、
前記コンテンツのメタデータ一覧は、コンテンツのジャンルとフォルダとのいずれかに基づいて選択的に表示可能としたことを特徴とするコンテンツ情報表示方法。
【請求項５】
請求項４において、
前記ジャンルもしくはフォルダの欄での選択されている項目が選択・決定されることにより、サムネールのルール変更画面が表示され、
該ルール変更画面で複数のルールのうちのいずれかが選択されることにより、前記コンテンツのメタデータ一覧での全ての該メタデータでのサムネール画像が、選択された該ルールによる前記サムネール画像に変更される
ことを特徴とするコンテンツ情報表示方法。
【請求項６】
請求項１〜５のいずれか１つにおいて、
前記メタデータの前記コンテンツの前記属性データが選択・決定されることにより、前記属性データが選択決定された前記メタデータに該当する前記コンテンツがその開始位置から再生・表示され、
前記メタデータの前記サムネール画像のいずれかが選択・決定されることにより、前記サムネール画像が選択決定された前記メタデータに該当する前記コンテンツが、選択決定された前記サムネール画像に該当する位置から、再生・表示される
ことを特徴とするコンテンツ情報表示方法。
【発明の詳細な説明】
【技術分野】
【０００１】
本発明は、放送番組やネットワークからの動画データなどの録画された動画コンテンツを選択して再生表示することができるようにしたコンテンツ情報表示方法に関する。
【背景技術】
【０００２】
近年、デジタルテレビ放送による動画コンテンツの多チャンネル化やネットワークの広帯域化により、多くの動画コンテンツを取得して視聴できるようになってきている。また、動画圧縮・伸張技術の向上や向上した動画圧縮・伸張処理を実現するハードウェアやソフトウェアの低価格化、蓄積メディアの大容量化・低価格化などにより、多くの動画コンテンツを取得して同じ蓄積メディアに保存でき、保存した動画コンテンツを再生できるようになってきている。
【０００３】
ところで、このような大容量の蓄積メディアに多くの動画コンテンツを記憶保存した状態となり、その中の所望とする１つの動画コンテンツを再生する場合には、かかる多くの動画コンテンツの中から非常な操作の手間や時間を掛けて希望の動画コンテンツを探し出さなければならないし、また、どのような動画コンテンツが記憶保存されているかを確認するのにも、非常な操作の手間や時間が掛かることになる。
【０００４】
従来、多くの動画コンテンツの中から所望の動画コンテンツを取得するための操作の手間を低減し、操作に要する時間を短縮することができるようにした技術が種々提案されている。
【０００５】
その一例として、各チャンネルがサムネールで表わされた放送番組表が表示され、また、リモコンには、サムネールの表示位置毎に対応付けられた切替キーが設けられており、その１つを操作すると、この操作された切替キーに該当するサムネールのチャンネルが選択され、そのチャンネルの番組の映像がダウンロードされ、この映像がディスプレイに表示されるようにした技術が提案されている（例えば、特許文献１参照）。
【０００６】
また、他の例として、テレビ番組の動画映像（ビデオ映像）を録画する際、このビデオ映像をカット（１台のカメラで連続に撮像された映像区間）毎に区分し、カット毎に代表となるフレームを抽出して代表画像とし、録画したビデオ映像毎に代表映像の一覧（ダイジェストの一覧）を画面表示することにより、ビデオ映像の流れや場面のつながりを見渡し易くし、映像内容を比較的容易に把握し易くするとともに、所望のビデオ映像の１つの代表映像を指定することにより、この所望ビデオ映像の指定された代表映像の記録位置から再生して視聴することができるようにした技術も提案されている（例えば、特許文献２参照）。
【特許文献１】特開２００７ー１１０３０４号公報
【特許文献２】特開平９ー２８４６９８号公報
【発明の開示】
【発明が解決しようとする課題】
【０００７】
ところで、上記特許文献１に記載の技術は、各チャンネル毎のサムネールのうちの所望とするチャンネルのサムネールをリモコンの操作によって選択することにより、この所望とするチャンネルを取得して表示させることができるが、各チャンネルのビデオ映像毎に１つずつサムネールが表示されるものであるから、ビデオ映像の内容を確実に把握することが難しいし、録画された番組に対しては配慮されていない。また、リモコンの操作によってサムネールを選択したときには、この選択されたサムネールに対する放送番組は必ずその開始から取得されて表示されるものであり、例えば、この放送番組の途中までは既に視聴しており、その続きから視聴したいような場合や、この放送番組の興味のある部分（例えば、サッカーのゴール場面など）から再生して見たい場合など、ユーザが希望する場面から再生させるといったことを行なうことができない。
【０００８】
これに対し、上記特許文献２に記載の技術は、録画されたビデオ映像に対し、カット毎の代表映像がダイジェストとして表示されるものであるから、かかるダイジェストによってこれに該当する録画済みビデオ映像の内容の流れが現わされることになり、これによってその内容を容易に把握することができるようになるし、また、１つの代表映像を指定することにより、該当するビデオ映像のこの指定された代表映像の記録位置から再生されるものであるから、ユーザが希望するビデオ映像の希望するシーンから再生して視聴することができるという利点がある。
【０００９】
しかしながら、上記特許文献２に記載の技術では、カット毎に代表映像を抽出し、これをそのビデオ映像のダイジェストとして表示するものであるから、ビデオ映像の内容の全体的な流れを把握するのには、ある程度好都合なものとなるが、ユーザにとって興味がなく、必要としないカットについても代表映像が表示され、ビデオ映像の内容のポイントとなるシーンが不明瞭になるおそれがある。
【００１０】
また、この代表映像としては、カットの先頭のフレームの映像というように、機械的に一意的に決められたものであるので、ユーザが興味を持つシーンが代表映像として表示されない場合もある。
【００１１】
本発明の目的は、かかる問題を解消し、ユーザが希望するシーンのサムネール画像を表示させることができ、ユーザが記録されたコンテンツの内容の流れを容易にかつより確実に把握することができるようにしたコンテンツ情報表示方法を提供することにある。
【課題を解決するための手段】
【００１２】
上記目的を達成するために、本発明は、複数の記録されたコンテンツのメタデータの一覧をコンテンツ検索画面で表示するコンテンツ情報表示方法であって、該各コンテンツ毎に、異なる複数のルールに基づいて、該ルール毎に１以上のサムネール画像を抽出して記憶手段に前記異なる複数のルール毎に夫々記憶し、該コンテンツ検索画面では、各コンテンツ毎に、該コンテンツの属性データと、該複数のルールのうちのいずれか１つのルールに基づいて抽出された１以上の該サムネール画像とを、該メタデータ一覧として、表示画面における第一表示領域に表示し、該コンテンツ検索画面で表示される該サムネール画像は、異なるルールによるサムネール画像に、前記第一表示領域上で変更可能であり、当該異なるルールによるサムネール画像への変更は、前記コンテンツのメタデータ一覧からいずれか１つのメタデータが選択・決定されることにより、サムネールのルール変更画面が表示画面における第二表示領域に表示され、該ルール変更画面で複数のルールのうちのいずれかが選択されることにより、選択・決定された該メタデータにおいて対応するサムネール画像が、選択された該ルールによる前記サムネール画像に変更されることを特徴とするものである。
【００１３】
また、本発明は、コンテンツからサムネール画像を抽出するときの複数のルールの優先順位は夫々、コンテンツのジャンル毎に設定されており、コンテンツのメタデータをコンテンツ検索画面に最初に表示するとき、優先順位が最上位のルールによるサムネール画像をデフォルトのサムネール画像として表示することを特徴とするものである。
【００１４】
さらに、本発明は、コンテンツ検索画面が表示されるときには、前回表示されたコンテンツ検索画面での表示終了時に表示されていたサムネール画像に対するルールを優先順位が最上位のルールとし、最上位のルールによるサムネール画像をデフォルトのサムネール画像として表示することを特徴とするものである。
【００１５】
さらに、本発明は、コンテンツのメタデータの一覧は、コンテンツのジャンルとフォルダとのいずれかに基づいて選択的に表示可能としたことを特徴とするものである。
【００１７】
さらに、本発明は、ジャンルもしくはフォルダの欄での選択されている項目が選択・決定されることにより、サムネールのルール変更画面が表示され、ルール変更画面で複数のルールのうちのいずれかが選択されることにより、コンテンツのメタデータの一覧での全てのメタデータでのサムネール画像が、選択されたルールによるサムネール画像に変更されることを特徴とするものである。
【００１８】
さらに、本発明は、メタデータのコンテンツの属性データが選択・決定されることにより、属性データが選択決定されたメタデータに該当するコンテンツがその開始位置から再生・表示され、メタデータのサムネール画像のいずれかが選択・決定されることにより、サムネール画像が選択決定されたメタデータに該当する前記コンテンツが、選択決定されたサムネール画像に該当する位置から、再生・表示されることを特徴とするものである。
【発明の効果】
【００１９】
本発明によると、記録されたコンテンツ毎に、ユーザが関心を持つ所定のルールに従って抽出された１以上のサムネール画像が同時に表示されるものであるから、ユーザはかかる一連のサムネール画像を閲覧することができ、コンテンツの内容の流れを容易に把握できて、再生したいコンテンツを容易に選択することができる。また、表示されるサムネール画像を異なるルールによるサムネール画像に変更することができるから、コンテンツのジャンルなどに応じて、ユーザは自分の好みに適合したルールのサムネール画像を選択して表示させることができ、さらに、再生したいコンテンツを選択することが容易かつ確実なものとなる。
【発明を実施するための最良の形態】
【００２０】
以下、本発明の実施形態を図面を用いて説明する。
【００２１】
図１は本発明によるコンテンツ情報表示装置及び方法の一実施形態を示す構成図であって、１はＴＶ（テレビ）受像機、２は装置本体、２ａはリモコン受光部、２ｂはマイクロコンピュータ（マイコン）、２ｃは記憶装置、２ｄはコンテンツＤＢ（データベース）、２ｅはメタデータＤＢ、２ｆはチューナ、３は表示装置、４は表示画面、５はコンテンツ検索画面、６はカーソル、７はアンテナ、８はリモートコントローラ（リモコン）、８ａは十字キー、８ａＵは上方向ボタン、８ａＤは下方向ボタン、８ａＲは右方向ボタン、８ａＬは左方向ボタン、８ｂは決定ボタン、９はメタデータ提供サーバ、１０はネットワークである。
【００２２】
同図において、この実施形態は、ＴＶ受像機１からなるものであって、このＴＶ受像機１は、装置本体２と表示装置３と装置本体２に操作信号を送信するリモコン７とから構成されている。
【００２３】
装置本体２は、リモコン８から送信される操作信号の赤外線を受光するリモコン受光部２ａと、リモコン受光部２ａで受光した赤外線の操作信号に応じて各部を制御するマイコン２ｂと、リモコン８の操作によって指定された放送番組や録画予約された放送番組（以下、これらをコンテンツという）を受信するためのアンテナ７及びチューナ２ｆと、受信されたコンテンツのデータベース（即ち、コンテンツＤＢ）２ｄやコンテンツＤＢ２ｄでの各コンテンツの属性データやサムネールデータからなるメタデータ（コンテンツの要約データ）のデータベース（メタデータＤＢ）２ｅとを記憶する記憶装置２ｃなどを備えている。
【００２４】
表示装置３は、表示画面４やスピーカ（図示せず）などを備えており、リモコン８からの操作信号に伴う装置本体２でのマイコン２ｂの制御のもとに、その表示画面４にアンテナ７で受信されてチューナ２ｆで選局されたチャンネルの放送番組や、記憶装置２ｃのコンテンツＤＢ２ｄから選択されたコンテンツ（録画済番組）や、この記憶装置２ｃのメタデータＤＢ２ｅから選択された所定のメタデータによるＧＵＩ（グラフィク・ユーザ・インターフェイス）としてのコンテンツ検索画面５などが表示される。ここでは、かかるコンテンツ検索画面５が検索されている状態を示している。このコンテンツ検索画面５では、所望のメタデータを選択するための枠状のカーソル６が表示されており、リモコン８での十字キー８ａでの上方向ボタン８ａＵ，下方向ボタン８ａＤ，右方向ボタン８ａＲ，左方向ボタン８ａＬのいずれかを操作することにより、その操作信号が装置本体２に供給され、表示画面４でのコンテンツ検索画面５において、カーソル６がその操作に応じた方向に移動する。
【００２５】
なお、この実施形態では、アンテナ７を介して受信され、装置本体２の記憶装置２ｃにコンテンツＤＢ２ｄとして記憶されるコンテンツに対しては、装置本体２において、そのメタデータが作成されて記憶装置２ｃにメタテータＤＢ２ｅとして記憶されるが、各コンテンツのメタデータがメタデータ提供サーバ９に保存されており、リモコン８の操作により、受信されて記憶装置２ｃにコンテンツＤＢ２ｄとして記憶されるコンテンツに対し、あるいは録画予約されていて予約時刻に受信されて記憶装置２ｃにコンテンツＤＢ２ｄとして記憶されるコンテンツに対し、かかるコンテンツの記憶装置２ｃへの録画とともに、その該当するメタデータをメタデータ提供サーバ９からネットワーク１０を介して取得し、記憶装置２ｃにメタテータＤＢ２ｅとして記憶するようにしてもよい。
【００２６】
図２は図１における装置本体２の回路構成の一具体例を示すブロック構成図であって、１１は番組情報抽出部、１２は音声再生部、１３は映像再生部、１４は表示合成部、１５はメモリ、１６はＨＤＤ（ハードディスクドライブ）、１７はＤＶＤ（デジタル多用途ディスク）、１８は外部インターフェイス部、１９はメモリ、２０は画像生成部であり、図１に対応する部分には同一符号をつけて重複する説明を省略する。
【００２７】
同図において、リモコン７（図１）からの操作信号の赤外線はリモコン受光部２ａで受光され、その操作信号がマイコン２ｂに供給される。マイコン２ｂは、この操作信号を基に、リモコン８の操作に応じて各部を制御し、装置本体２をこの操作に応じた動作を行なわせる。
【００２８】
リモコン８の操作により、所望チャンネルのコンテンツ（放送番組の映像信号や音声信号）の受信が指示されると、マイコン２ｂはチューナ２ｆにこの指定されたチャンネルを設定し、このチャンネルのコンテンツを受信させる。アンテナ７で受信されてチューナ２ｆで選局されたこの指定チャンネルのコンテンツは、番組情報抽出部１１を介して音声再生部１２に供給されて増幅などの音声再生処理され、音声信号が再生されて表示装置３（図１）のスピーカに供給される。また、受信されたコンテンツは番組情報抽出部１１を介して映像再生部１３に供給され、映像信号が増幅などの再生処理される。この映像信号は、表示合成部１４を介して表示装置３（図１）に供給され、その表示画面４にこの受信チャンネルの映像が表示される。
【００２９】
所望チャンネルの受信開始後、リモコン８からこのチャンネルのコンテンツの録画を指令する操作信号が送信すると、受信したこの指令信号に応じてマイコン２ｂが録画のための各部の制御を行なうが、これにより、番組情報抽出部１１で抽出されて映像再生部１３に供給されるこの受信チャンネルの映像信号と音声信号とがＨＤＤ１６に供給される。このＨＤＤ１６は、図１に示す記憶装置２ｃを形成するものであり、このＨＤＤ１６に供給された映像信号と音声信号とが、コンテンツＤＢ２ｄとして記憶される。
【００３０】
また、これとともに、番組情報抽出部１１では、この受信チャンネルのコンテンツから、映像信号や音声信号を用いて、メタデータが生成され、ＨＤＤ１６に供給されて、メタデータＤＢ２ｅとして、記憶される。
【００３１】
さらに、受信番組の映像信号には、ＥＰＧ（電子番組表）情報が重畳されており、このＥＰＧ情報が番組情報抽出部１１で抽出されてＨＤＤ１６に記憶される。リモコン８から番組表の表示指示の操作信号が送信されると、これを取得したマイコン２ｂは、ＨＤＤ１６がＥＰＧ情報を取得して電子番組表を作成し、これを画像生成部２０に供給して電子番組表の画像信号を生成させる。表示合成部１４は、画像生成部２０から電子番組表の画像信号を取得し、メモリ１５に格納しながら映像再生部１３からの映像信号と合成し、表示装置３（図１）に供給する。これにより、表示装置３の表示画面４（図１）に電子番組表が表示される。この電子番組を基に、リモコン８で所望チャンネルの受信のための操作をすると、上記のように、指定されたチャンネルの受信と表示装置３での表示が行なわれるし、また、この電子番組表を用いてリモコンの所定操作を行なうことにより、所望チャンネルの録画を予約することができる。
【００３２】
録画予約されたチャンネルのコンテンツは、その録画予約時刻になると、マイコン２ｂの制御により、上記のように受信され、受信されたコンテンツがＨＤＤ１６にコンテンツＤＢ２ｄとして記憶（録画）されるが、また、このコンテンツのメタデータが番組情報抽出部１１で抽出され、ＨＤＤ１６にメタデータＤＢ２ｅとして記憶される。
【００３３】
なお、リモコン８の所定の操作により、リモコン８によって指定されたチャンネルのコンテンツ、あるいは録画予約されているチャンネルのコンテンツを、装置本体２に着脱可能なＤＶＤ１７（なお、ここでは、外部記憶装置として、ＤＶＤを用いているものとするが、他の大容量の外部記憶装置を用いるようにしてもよい）に、コンテンツＤＢとして、記憶するようにすることもできる。この場合には、このコンテンツが番組情報抽出部１１で抽出されるメタデータも、ＤＶＤ１７に、メタデータＤＢとして、記憶される。
【００３４】
即ち、受信されたコンテンツがＨＤＤ１６に記憶されるときには、そのメタデータもこのＨＤＤ１６に記憶され、ＤＶＤ１７（即ち、外部記憶装置）に受信されたコンテンツが記憶されたときには、そのメタデータもこのＤＶＤ１７（即ち、外部記憶装置）に記憶される。
【００３５】
また、コンテンツのメタデータとしては、番組情報抽出部１１で抽出する代わりに、図１でのメタデータ提供サーバ９からネットワーク１０を介して取得することができる。この場合には、録画予約している放送番組のコンテンツを受信して録画するとともに、マイコン２ｂが、外部インターフェイス部１８からネットワーク１０を介して、この録画する放送番組のコンテンツに対するメタデータをメタデータ提供サーバ９に要求すると、メタデータ提供サーバ９からは要求されたこのコンテンツのメタデータがネットワーク１０を介して装置本体２に送信される。装置本体２では、このメタデータが外部インターフェイス部１８で受信され、マイコン２ｂの制御のもとに、このコンテンツが記憶されたＨＤＤ１６もしくはＤＶＤ１７にメタデータＤＢ２ｅとして記憶される。
【００３６】
リモコン８で所定のメタデータの表示を要求する操作をすると、その操作信号がリモコン受光部２ａで受信されてマイコン２ｂに供給され、マイコン２ｂは要求されるメタデータをＨＤＤ１６やＤＶＤ１７から読み出し、画像生成部２０に供給する。画像生成部２０では、かかるメタデータを処理してメタデータからなるコンテンツ検索画面の画像信号が生成され、表示合成部１４に供給される。表示合成部１４では、メモリ１５を用いて映像再生部１３からの映像信号にコンテンツ検索画面の画像信号が合成され、表示装置３（図１）に供給される。これにより、この表示装置３の表示画面４にこのコンテンツ検索画面５が表示される。
【００３７】
図３は表示装置３の表示画面４に表示されるＧＵＩ（グラフィク・ユーザ・インターフェイス）としてのコンテンツ検索画面５の一具体例を示す図であって、２１は項目欄、２２はメタデータ一覧表示エリア、２３は操作ガイダンス、２３ａ〜２３ｄはガイド、２４はメタデータ保存場所選択欄、２５はフォルダ／ジャンル（分類）選択欄、２５ａ，２５ｂはスクロールマーク、２６はコンテンツ一覧表示／選択欄、２７はサムネール画像表示／選択欄、２８ａ〜２８ｆはメタデータ保存場所タグ、２９ａ〜２９ｅはフォルダタグ、３０ａ〜３０ｈはメタデータ、３１はコンテンツ属性データ、３２はサムネール画像であり、前出図面に対応する部分には同一符号をつけて重複する説明を省略する。
【００３８】
リモコン８（図１）でコンテンツ検索画面５の表示を要求する操作をすると、表示装置３の表示画面４（図１）に、図３に示すように、コンテンツ検索画面５が表示される。
【００３９】
このコンテンツ検索画面５は、その上辺側に設けられた項目欄２１の項目毎に横方向に区分されたメタデータ一覧表示エリア２２や、リモコン８の操作のガイド２３ａ〜２３ｄを表わした操作ガイダンス２３からなっている。メタデータ一覧表示エリア２２での項目としては、コンテンツの保存場所を選択可能とするコンテンツ保存場所選択欄２４と、保存場所でのコンテンツのフォルダやジャンルを選択できるようにしたフォルダ／ジャンル（分類）選択欄２５と、メタデータ３０ａ，３０ｂ，３０ｃ，……毎にコンテンツの属性の一覧が表示され、そのいずれかを選択可能としたコンテンツ一覧表示／選択欄２６と、同じくコンテンツのサムネール画像の一覧が表示され、そのいずれかを選択可能としたサムネール画像表示／選択欄２７とが設定されている。
【００４０】
コンテンツ保存場所選択欄２４には、コンテンツを保存している保存場所を選択するためのタグ、即ち、「すべての場所」タグ２８ａ，「ＨＤＤ」タグ２８ｂ，ＤＶＤなどのリムーバブルな記録媒体としてのｉＶＤＲ(Information Versatile Disk for Removable usage）に対する「ｉＶＤＲ」タグ２８ｃ，「ＳＤカード」タグ２８ｄ，「ＡＶネットワーク状の階層へ」タグ２８ｅ，「ライブラリ開く」タグ２８ｆが設けられており、これらのうちのいずれかを選択すると、そのタグに該当する保存場所に保存されているコンテンツを検索するためのメタデータ３０（メタデータ３０ａ，３０ｂ，３０ｃ，……の総称）がこのコンテンツ検索画面５で表示の対象となる。また、フォルダ／ジャンル（分類）選択欄２５は、このコンテンツ検索画面５で表示の対象となるメタデータ３０をフォルダなどで区分するか、ジャンルで区分できるようにしたものである。ここでは、フォルダで区分した状態を示しており、この場合には、コンテンツがフォルダ内に格納されているか否かに関係なく、全ての保存されたコンテンツのメタデータを表示対象とする「全てのコンテンツ」タグ２９ａやフォルダでのコンテンツのメタデータを表示対象とする「フォルダのみ」タグ２９ｂ，ユーザ毎のフォルダタグ（例えば、「お父さんフォルダ」タグ２４ｃ，「お母さんフォルダ」タグ２９ｄ，「お姉さんフォルダ」タグ２９ｅなど）などが設けられており、そのいずれかのタグを選択すると、そのタグに該当するコンテンツのメタデータがこのコンテンツ検索画面５で表示対象となる。ここでは、「すべての場所」タグ２８ａと「お父さんフォルダ」タグ２９ｃとが選択された状態が示されており、このため、全ての場所に保存された「お父さん」フォルダのコンテンツのメタデータが表示対象となり、これらがメタデータ３０ａ，３０ｂ，……として表示されている。
【００４１】
なお、このフォルダ／ジャンル選択欄２５には、スクロールマーク２５ａ，２５ｂが設けられており、これらを操作することにより、フォルダタグ２９（フォルダタグ２９ａ，２９ｂ，２９ｃ，……の総称）の配列を上方向あるいは下方向スクロールさせることができ、表示されていないフォルダタグを表示させるようにすることができる。
【００４２】
コンテンツのメタデータ３０は、コンテンツ一覧表示／選択欄２６で表わされるコンテンツ属性データ３１と、サムネール画像表示／選択欄２７で表わされるサムネール画像３２とからなり、１つのコンテンツに対し、１以上のサムネール画像３２が作成されて表示される。ここで表示されるコンテンツ属性データ３１は、例えば、コンテンツのタイトル（このタイトルは、例えば、「最大で全角２２文字まで表示」というように、表示される文字数が制限される）や該当するコンテンツの録画日（例えば、［録画］００／００（水））、チャンネル名（例えば、ＢＳ０００）、コンテンツの時間長（例えば、００ｈ００ｍ）、コンテンツの保存場所（例えば、iＶＤＲ ＴＳＥ）、サムネール画像の抽出ルール（例えば、ルール１）である。
【００４３】
ここでは、全ての保存場所（タグ２８ａ）での「お父さん」フォルダのコンテンツ（タグ２９ｃ）のメタデータがこのコンテンツ検索画面５の表示対象となっているので、保存場所は種々であるが、ここでは、便宜上、同じ保存場所「iＶＤＲ ＴＳＥ」に保存されているメタデータ３０を示している。
【００４４】
また、サムネール画像３２は、所定のルールに従って作成するものであるが、そのルールとしては、複数個あり、コンテンツのメタデータ３０では、そのうちの１つのルールで作成されたサムネール画像３２が表示される。ここでは、メタデータ３０ａ，３０ｃ，３０ｅ〜３０ｈでは、ルール１によって作成されたサムネール画像３２が表示され、メタデータ３０ｂでは、ルール４によって作成されたサムネール画像３２が表示され、メタデータ３０ｄでは、ルール５によって作成されたサムネール画像３２が表示されているものとしている。
【００４５】
サムネール画像の作成ルールの例としては、
ルール１：一定時間毎にコンテンツのフレームまたはフィールド画像を抽出
し、これをサムネール画像とする
ルール２：音声が盛り上がる（例えば、歓声がある）タイミングでのコンテ
ンツのフレームまたはフィールド画像を抽出し、これをサムネー
ル画像とする
ルール３：字幕の人名テキストが表示されるタイミングでのコンテンツのフ
レームまたはフィールド画像を抽出し、これをサムネール画像と
する
ルール４：コマーシャル（ＣＭ）直後のフレームまたはフィールド画像を抽
出し、これをサムネール画像とする
などがあり、各コンテンツでは、これらルール毎にサムネール画像が作成され、そのうちの１つのルールによるサムネール画像が図３に示すように表示される。
【００４６】
コンテンツ検索画面５では、カーソル６が表示される。このカーソル６は、リモコン８の操作により、メタデータ保存場所選択欄２４でのタグ２８ａ〜２８ｆ，フォルダ／ジャンル選択欄２５のタグ２９ａ〜２９ｅ，コンテンツ一覧表示／選択欄２６のコンテンツ属性データ３１，サムネール画像表示／選択欄２７のサムネール画像３２のいずれか１つを選択した状態に表示されるが、初期状態では（メタデータ保存場所選択欄２４でのタグ２８ａ〜２８ｆ、あるいはフォルダ／ジャンル選択欄２５のタグ２９ａ〜２９ｅのいずれかが選択されたときには）、先頭（最上）に表示されるメタデータ３０ａでのコンテンツ一覧表示／選択欄２６のコンテンツ属性データ３１を選択した状態にあるものとする（但し、これに限るものではない）。
【００４７】
図４は図１における番組情報抽出部１の一具体例の要部を示すブロック構成図であって、３３は入力端子、３４は時刻情報付加部、３５はタイマ、３６1は時間計測部、３６2〜３６4は時刻検出部、３７1〜３７4はサムネール抽出部、３８は音声盛り上がり検出部、３９はテキスト検出部、４０はＣＭ（コマーシャルデータ）終了検出部、４１1〜４１4は時刻情報付加部、４２1〜４２4はメモリであり、図２に対応する部分には同一符号をつけて重複する説明を省略する。
【００４８】
この番組情報抽出部１１の具体例は、コンテンツの録画とそのメタデータの作成のための構成部分のみを示している。また、メタデータの作成には、複数のルールが設定されており、夫々のルール毎に、そのルールに従って、メタデータが作成されるが、ここでは、そのルールを、上記の
ルール１：一定時間毎にコンテンツのフレームまたはフィールド画像を抽出
し、これをサムネール画像とする
ルール２：音声が盛り上がる（例えば、歓声がある）タイミングでのコンテ
ンツのフレームまたはフィールド画像を抽出し、これをサムネー
ル画像とする
ルール３：字幕の人名テキストが表示されるタイミングでのコンテンツのフ
レームまたはフィールド画像を抽出し、これをサムネール画像と
する
ルール４：コマーシャル（ＣＭ）直後のフレームまたはフィールド画像を抽
出し、これをサムネール画像とする
４種のルールとする。
【００４９】
図４において、リモコン８（図１）から録画開始の操作信号が送信されると、あるいは録画予約されたコンテンツの録画開始時刻になると、マイコン２ｂ（図１，図２）からの制御信号により、番組情報抽出部１１やコンテンツＤＢ２ｄが動作を開始する。
【００５０】
番組情報抽出部１１が動作を開始すると、入力端子３３から受信されたチャンネルのコンテンツＣntが入力されるが、これとともに、タイマ３５がクリアされて計時動作を開始する。これにより、タイマ３５から時刻情報Ｔifが出力され、時間計測部３６1や時刻検出部３６2〜３６4に供給される。入力端子３３から入力された受信コンテンツＣntは、時刻情報付加部３４に供給され、タイマ３５からの時刻情報Ｔifが付加されてコンテンツＤＢ２ｄに記憶（録画）されるとともに、サムネール抽出部３７1〜３７4や音声盛り上がり検出部３８，テキスト検出部３９，ＣＭ終了検出部４０に供給される。
【００５１】
時間計測部３６1，サムネール抽出部３７1及び時刻情報付加部４１1は上記のルール１に従ってメタデータ、特に、サムネール画像を生成するものであって、時間計測部３６1がタイマ３５からの時刻情報Ｔifを用いて時間計測しており、所定時間（例えば、５分間）毎にサムネール抽出信号Ｓs1をサムネール抽出部３７1に送る。サムネール抽出部３７1は、このサムネール抽出信号Ｓs1が供給されると、入力されるコンテンツＣntからその時点での１フレームまたはフィールドの画像信号をサムネール画像信号ＳV1として抽出する。このサムネール画像信号ＳV1は時刻情報付加部４１1に供給され、時間計測部３６1からのサムネール抽出信号Ｓs1を出力した時点での時刻情報が付加されてメモリ４２1に記憶される。以下同様にして、時間計測部３６1が所定時間の経過を計測する毎に、サムネール抽出部３７1と時刻情報付加部４１1とによって時刻情報が付加されたルール１によるサムネール画像信号ＳV1が作成されて、順次メモリ４２1に格納される。
【００５２】
また、音声盛り上がり検出部３８は、入力されるコンテンツＣntを常時監視しており、その音声情報から、例えば、サッカーや野球の番組などで盛り上がったときの観客の音声の高まりなどを検出し、サムネール抽出信号Ｓs2をサムネール抽出部３７2に供給する。サムネール抽出部３７2では、このサムネール抽出信号Ｓs2が供給されると、入力されるコンテンツＣntからその時点での１フレームまたはフィールドの画像信号がサムネール画像信号ＳV2として抽出され、時刻情報付加部４１2に供給される。これとともに、音声盛り上がり検出部３８は音声の盛り上がりを検出したことを時刻検出部３６2に通知する。時刻検出部３６2は、この通知を受けると、そのタイミングでの時刻情報を抽出し、時刻情報付加部４１2に供給する。これにより、時刻情報付加部４１2では、サムネール抽出部３７2からのサムネール画像信号ＳV2にこの時刻情報が付加されてメモリ４２2に格納される。以下同様にして、音声盛り上がり検出部３８によって入力されるコンテンツＣntでの音声の盛り上がりが検出される毎に、サムネール抽出部３７2と時刻情報付加部４１2とによって時刻情報が付加されたルール２によるサムネール画像信号ＳV2が得られて、順次メモリ４２2に順次格納される。
【００５３】
さらに、テキスト検出部３９は、入力されるコンテンツＣntを常時監視しており、その各フレームもしくはフィールド毎に字幕の人名などのテキストデータの有無を判定しており、これを検出すると、サムネール抽出信号Ｓs3をサムネール抽出部３７3に供給する。サムネール抽出部３７3では、このサムネール抽出信号Ｓs3が供給されると、入力されるコンテンツＣntからその時点での１フレームまたはフィールドの画像信号がサムネール画像信号ＳV3として抽出され、時刻情報付加部４１3に供給される。これとともに、テキスト検出部３９はテキストデータを検出したことを時刻検出部３６3に通知する。時刻検出部３６3は、この通知を受けると、そのタイミングでの時刻情報を抽出し、時刻情報付加部４１3に供給する。これにより、時刻情報付加部４１3では、サムネール抽出部３７3からのサムネール画像信号ＳV3にこの時刻情報が付加されてメモリ４２3に格納される。以下同様にして、テキスト検出部３９によって入力されるコンテンツＣntでのテキストデータが検出される毎に、サムネール抽出部３７3と時刻情報付加部４１3とによって時刻情報が付加されたルール３によるサムネール画像信号ＳV3が得られて、順次メモリ４２3に順次格納される。
【００５４】
さらに、ＣＭ終了検出部４０は、入力されるコンテンツＣntを常時監視しており、その各フレームもしくはフィールド毎にＣＭの有無を判定し、ＣＭの終了を検出すると、サムネール抽出信号Ｓs4をサムネール抽出部３７4に供給する。サムネール抽出部４７4では、このサムネール抽出信号Ｓｓ4が供給されると、入力されるコンテンツＣntからその時点での１フレームまたはフィールドの画像信号がサムネール画像信号ＳV4として抽出され、時刻情報付加部４１4に供給される。これとともに、ＣＭ終了検出部４０はＣＭの終了を検出したことを時刻検出部３６4に通知する。時刻検出部３６4は、この通知を受けると、そのタイミングでの時刻情報を抽出し、時刻情報付加部４１4に供給する。これにより、時刻情報付加部４１4では、サムネール抽出部３７4からのサムネール画像信号ＳV4にこの時刻情報が付加されてメモリ４２4に格納される。以下同様にして、ＣＭ終了検出部４０によって入力されるコンテンツＣntでのＣＭ終了が検出される毎に、サムネール抽出部３７4と時刻情報付加部４１4とによって時刻情報が付加されたルール４によるサムネール画像信号ＳV4が得られて、順次メモリ４２4に順次格納される。
【００５５】
このコンテンツＣntが終了すると、メモリ４２1では、ルール１によって作成された一連のサムネール画像信号Ｓｖ1が格納された状態にあり、メモリ４２2では、ルール２によって作成された一連のサムネール画像信号Ｓｖ2が、メモリ４２3では、ルール３によって作成された一連のサムネール画像信号Ｓｖ3が、メモリ４２4では、ルール４によって作成された一連のサムネール画像信号Ｓｖ4が夫々格納された状態にある。このコンテンツＣntの終了とともに、マイコン２ｂからメタデータＤＢ２ｅに書込指令信号が供給され、これにより、メモリ４２1〜４２4からサムネール画像信号Ｓｖ1〜Ｓｖ4が読み出され、メタデータＤＢ２ｅに記憶される。
【００５６】
このようにして、メタデータとしてのサムネール画像信号がメタデータＤＢ２ｅに記憶されることになるが、これとともに、説明は省略するが、このコンテンツＣntの属性データ（図３でのコンテンツ属性データ３１）も、例えば、電子番組表（ＥＰＧ）などから取得し、かかるサムネール画像信号Ｓｖ1〜Ｓｖ4と関連付けてメタデータＤＢ２ｅに記憶される。
【００５７】
なお、かかるコンテンツＣntのサムネール画像信号Ｓｖ1〜Ｓｖ4は、ＴＶ受像機１を使用するユーザ毎にも、作成することができ、夫々毎にその該当するユーザやこのコンテンツＣntの属性データなどが関連付けられる。
【００５８】
また、ここでは、１つルールによるサムネール画像を４個としたが、これに限るものではない。
【００５９】
図５は図４に示す番組情報抽出部１１での各ルールによるサムネール画像の抽出動作を模式的に示すタイミング図であって、「×」印はルール１によるサムネール画像を、「□」印はルール２によるサムネール画像を、「▽」印はルール３によるサムネール画像を、「」印はルール４によるサムネール画像を夫々示しており、時間軸は１つのコンテンツＣutの流れを示している。
【００６０】
同図において、「×」印で示すルール１によるサムネール画像は入力動画コンテンツＣutから一定時間毎に抽出されるものであり、歓声などの音声の盛り上がりがある「□」印の時点では、入力動画コンテンツＣutからルール２によるサムネール画像が抽出される。また、「▽」印で示す字幕の人名テキストが表示される時点では、入力動画コンテンツＣutからルール３によるサムネール画像が抽出され、「○」印で示すＣＭの終了時点では、入力動画コンテンツＣutからルール４によるサムネール画像が抽出される。
【００６１】
図６は上記のサムネール画像信号によるルール毎のサムネール画像群を模式的に示すものであって、各サムネール画像群は１以上のサムネール画像からなり、同じルールによって得られたサムネール画像がまとまってメタデータＤＢ２ｅに記憶される。
【００６２】
図７は各ルール毎の各サムネール画像のメタデータＤＢ２ｅでの記憶位置を模式的に示す図である。
【００６３】
同図において、横軸にルールを示し、縦軸に抽出順の各サムネール画像のメタデータＤＢ２ｅでの記憶位置「位置＃」を示すものであって、各ルール毎にメタデータＤＢ２ｅでのサムネール画像の記憶領域が予め決められており、最初に提出されたサムネール画像から順にこの記憶領域の最初の記憶位置から記憶される。「位置＃」欄での「位置１」，「位置２」，……，「位置ｎ１」，「位置ｎ２」，「位置ｎｘ」は最初に抽出されたサムネール画像の記憶位置を示すものであり、ルール毎にこれらは異なるものである。
【００６４】
また、各ルールでの「位置（秒）」は、サムネール画像が抽出されたもとの録画コンテンツでの抽出したサムネール画像の抽出位置を示すものであって、この録画コンテンツの開始からの時間でもって表わされるものであり、図４における時刻情報付加部４１1〜４１4で付加される時刻情報で表わされるものである。
【００６５】
図８は各ユーザのフォルダを概略的に示す図であって、４３ａは「お父さん」フォルダ、４３ｂは「お母さん」フォルダ、４３ｋは「フォルダの外」フォルダある。
【００６６】
同図において、メタデータＤＢ２ｅには、例えば、「お父さん」フォルダ４３ａや「お母さん」フォルダ４３ｂなどのユーザ用のフォルダや、ユーザに特製されないフォルダ、即ち、「フォルダの外」フォルダ４３ｋが設定されており、録画される動画コンテンツの番組情報抽出部１１（図４）で作成されたメタデータが該当するフォルダに格納される。例えば、ＴＶ受像機１が「お父さん」モードで録画予約した動画コンテンツＣutが録画されるときには、そのメタデータはメタデータＤＢ２ｅの「お父さん」フォルダ４３ａに記憶される。
【００６７】
各フォルダでは、「お父さん」フォルダ４３ａを例にとると、図示するように、各録画コンテンツ１，２，３，……について、ルール１，２，３，……夫々に従って得られたメタデータが、図６に示すように、夫々のルール毎に区分して記憶される。そして、コンテンツのジャンル毎にルールの優先順位が決められており、各録画コンテンツ毎にその優先順位が最上位のルールによるメタデータが、図３に示すコンテンツ検索画面５の表示が始まるときに、デフォルトのメタデータ３０として表示される。
【００６８】
図８に示す例では、ジャンル１のコンテンツに対しては、ルール１が最上位の優先順位であり、ジャンル２のコンテンツに対しては、ルール４が最上位の優先順位であり、ジャンル３のコンテンツに対しては、ルール１が最上位の優先順位であり、ジャンル４のコンテンツに対しては、ルール５が最上位の優先順位であり、……、ジャンルｍのコンテンツに対しては、ルール１が最上位の優先順位であるとしている。
【００６９】
従って、図３に示すコンテンツ検索画面５の表示開始時では、コンテンツ１，３，５，６，７，８がジャンル１のコンテンツとすると、これらに対するメタデータ３０ａ，３ｃ，３０ｅ〜３０ｈでは、ルール１によるサムネール画像３２がその抽出タイミング順に配列して表示され、コンテンツ２がジャンル４のコンテンツとすると、これに対するメタデータ３０ｂでは、ルール４によるサムネール画像３２がその抽出タイミング順に配列して表示され、コンテンツ４がジャンル５のコンテンツとすると、これに対するメタデータ３０ｄでは、ルール５によるサムネール画像３２がその抽出タイミング順に配列して表示されることになる。
【００７０】
図９は図１におけるリモコン８の操作面の一具体例を示す外観図であって、８ｃは電源ボタン、８ｄは青色ボタン、８ｅは赤色ボタン、８ｆは緑色ボタン、８ｇは黄色ボタン、８ｈはコンテンツ検索画面（ＧＵＩ）呼出ボタン、８ｉは戻るボタン、８ｊはメタデータＯＮ／ＯＦＦボタン、８ｋは録画関連ボタンであり、図１に対応する部分には同一符号をつけて重複する説明を省略する。
【００７１】
同図において、リモコン８の操作面には、ＴＶ受像機１（図１）の電源をＯＮ，ＯＦＦする電源ボタン８ｃを始め、各種の操作ボタンが設けられているが、以下では、主として、この実施形態にとって代表的な操作ボタンについて説明し、他の操作ボタンの説明は省略する。
【００７２】
電源ボタン８ｃの下側には、図４に示すコンテンツ検索画面５のための青色ボタン８ｄ，赤色ボタン８ｅ，緑色ボタン８ｆ，黄色ボタン８ｇと、このコンテンツ検索画面をＯＮ，ＯＦＦのためのコンテンツ検索画面（ＧＵＩ）呼出ボタン８ｈと、表示画面４での表示状態を１つ前の表示状態に戻すための戻るボタン８ｉと、録画されたコンテンツの再生中にこれに該当する後述するメタデータを表示するためのメタデータＯＮ／ＯＦＦボタン８ｊと、録画や再生や停止のための録画関連ボタン８ｋとともに、上記の上方向ボタン８ａＵ，下方向ボタン８ａＤ，右方向ボタン８ａＲ及び左方向ボタン８ａＬからなる十字キー８ａと、決定ボタン８ｂとが設けられている。
【００７３】
いま、表示装置４の表示画面４でコンテンツ検索画面５以外の画面、例えば、受信チャンネルの動画コンテンツの表示状態でコンテンツ検索画面（ＧＵＩ）呼出ボタン８ｈが操作されると、図３に示されるコンテンツ検索画面５が表示される。このコンテンツ検索画面５の初期表示状態では、コンテンツ保存場所選択欄２４で第１番目（最上位置）の「すべての場所」タグ２８ａが選択され、フォルダ／ジャンル選択欄２５で「全てのコンテンツ」タグ２９ａが選択された状態にあり、これらタグ２８ａ，２９ａに応じたメタデータ３０ａ，３０ｂ，３０ｃ，……の一覧が表示される。そして、第１番目（最上位置）でのメタデータ３０ａのコンテンツ一覧表示欄２６でのコンテンツ属性データ３１にカーソル６が位置付けられている。
【００７４】
かかる表示状態で、リモコン８の十字キー８ａのいずれかを操作すると、その操作に応じた方向にカーソル６が移動する。例えば、図示する状態で下方向ボタン８ａＤが操作されると、その操作がなされる毎に、カーソル６がメタデータ３０の下方向配列順に１つずつ移動し、そのコンテンツ属性データ３１が１つずつ選択されていく。また、上方向ボタン８ａＵが操作されると、その操作がなされる毎に、カーソル６がメタデータ３０の上方向配列順に１つずつ移動し、そのコンテンツ属性データ３１が１つずつ選択されていく。図示する状態で右方向ボタン８ａＲが操作されると、カーソル６は右方向にサムネール画像表示／選択欄２７での最初のサムネール画像３２に移動し、さらに、右方向ボタン８ａＲが操作されると、同じメタデータ３０でのサムネール画像３２の配列順に１つずつ右方向に移動し、サムネール画像３２が１つずつ選択されていく。また、サムネール画像３２が選択された状態で左方向ボタン８ａＬが操作されると、その操作がなされる毎に、カーソル６が同じメタデータ３０でのサムネール画像３２の配列順に１つずつ左方向に移動し、サムネール画像３２が１つずつ選択されていく。そして、そのサムネールデータ３０の最初に配列されたサムネール画像３２にカーソル６があるときに、さらに、左方向ボタン８ａＬが操作されると、カーソル６は左方向に移動して、この同じメタデータ３０のコンテンツ一覧表示／選択欄２６でのコンテンツ属性データ３１に移り、これが選択された状態になる。
【００７５】
また、図３で図示するように、カーソル６がいずれかのメタデータ３０のコンテンツ一覧表示／選択欄２６でのコンテンツ属性データ３１を選択した状態にあるとき、十字キー８ａの左方向ボタン８ａＬが操作されると、カーソル６は左方向に移動し、フォルダ／ジャンル選択欄２５でのデフォルトのフォルダタグ２９（フォルダタグ２９ａ〜２９ｅの総称。この場合には、「お父さん」タグ２９ｃ）に移動する。なお、これに限らず、他のフォルダタグ２９（例えば、現在選択されているフォルダタグ２９（この場合には、「お父さん」タグ２９ｃ））に移動するようにしてもよい）。かかる状態で、上方向ボタン８ａＵ，下方向ボタン８ａＤのいずれかが操作されると、カーソル６はフォルダタグ２９の配列方向上下に１つずつ移動し、これらフォルダタグ２９のいずれかを選択することができる。図１０は「お母さん」タグ２８ｄが選択された状態を示す（なお、図１０では、その説明に必要な部分のみ、符号を付している。後述する図面についても、同様であり、前出図面に対応する部分には、同一符号をつけている）。
【００７６】
また、上記の状態で右方向ボタン８ａＲが操作されると、カーソル６は、このときのフォルダタグ２９の右隣のコンテンツ属性データ３１に移り、それを選択した状態にする。
【００７７】
また、一部のフォルダタグ２９が表示されていない状態にあって、カーソル６が最上の「全てのコンテンツ」タグ２９ａを選択した状態で、リモコン８の十字キー８ａの上方向ボタン８ａＵを操作すると、カーソル６はさらに上方向に移動し、スクロールマーク２５ａを選択した状態となる。かかる状態でリモコン８の決定ボタン８ｂ（図８）が操作されると、フォルダタグ２９の配列の上方向のスクロールが行なわれる。同様にして、一部のフォルダタグ２９が表示されていない状態にあって、カーソル６が最下のフォルダタグ２９を選択した状態で、リモコン８の十字キー８ａの下方向ボタン８ａＤを操作すると、カーソル６はさらに下方向に移動し、スクロールマーク２５ｂを選択した状態となる。かかる状態でリモコン８の決定ボタン８ｂ（図８）が操作されると、フォルダタグ２９の配列の下方向のスクロールが行なわれる。
【００７８】
さらにまた、カーソル６がフォルダタグ２９のいずれかを選択している状態で左方向ボタン８ａＬが操作されると、フォルダ／ジャンル選択欄２５の左隣のメタデータ保存場所選択欄２４のコンテンツ保存場所タグ２８（コンテンツ保存場所タグ２８ａ〜２８ｆの総称）のデフォルトのコンテンツ保存場所タグ２８（この場合、「すべての場所」フォルダ２８ａ）に移動し、これを選択した状態にする。なお、現在選択状態にあるコンテンツ保存場所タグ２８（この場合、「すべての場所」フォルダ２８ａ）など他のコンテンツ保存場所タグ２８に移動するようにしてもよい。かかる状態で、上方向ボタン８ａＵ，下方向ボタン８ａＤのいずれかが操作されると、カーソル６はコンテンツ保存場所タグ２８の配列方向上下に１つずつ移動し、これらコンテンツ保存場所タグ２８のいずれかを選択することができる。また、右方向ボタン８ａＲが操作されると、カーソル６は、メタデータ保存場所選択欄２４の右隣のフォルダ／ジャンル選択欄２５のいずれかのフォルダタグ２９（例えば、デフォルトのフォルダタグ２９、あるいは現在選択されているフォルダタグ２９）に移る。
【００７９】
このように、カーソル６の移動のための操作が十字キー８ａによって行なうことができることを、図３，図１０に示すように、コンテンツ検索画面５の操作ガイダンス２３において、十字キー８ａのアイコンと「選択」との表示からなるガイダンス２３ａによって示されている。これにより、ユーザは十字キー８ａを操作することによってカーソル６を移動させることができることを認識できる。また、選択されたコンテンツ属性データ３１やサムネール画像３２の決定、また、フォルダ／ジャンル選択欄２５での選択されているフォルダの決定は、カーソル６が該当するフォルダタグ２９を選択した状態で、リモコン８の決定ボタン８ｂ（図８）の操作によって行なわれ、これにより、この選択決定されたフォルダのメタデータ３０がコンテンツ属性データ３１やサムネール画像３２に表示される。
【００８０】
このことは、メタデータ保存場所選択欄２４でのコンテンツ保存場所タグ２８についても、同様である。この決定操作をユーザに知らせるために、操作ガイダンス２３において、決定ボタン８ｂのアイコンと「決定」との表示からなるガイダンス２３ｂが設けられている。これにより、ユーザは決定ボタン８ｂを操作することによって選択された対象の決定を行なうことができることを認識できる。さらに、このことは、コンテンツ一覧表示／選択欄２６でのコンテンツ属性データ３１やサムネール画像表示／選択欄２７でのサムネール画像３２においても、同様である。
【００８１】
図３に示すコンテンツ検索画面５の項目欄２１には、フォルダ／ジャンル選択欄２５において、「（緑）分類：フォルダ」と記載されており、リモコン８の緑色ボタン８ｆを操作することにより、項目をジャンルとフォルダとに切り替え可能であることを示している。図３に示すフォルダ／ジャンル選択欄２５の表示状態でリモコン８の緑色ボタン８ｆが操作されると、ジャンルが設定されたコンテンツ検索画面５が表示される。
【００８２】
図１１はかかるジャンルが設定されたコンテンツ検索画面５の一具体例を示す図であって、５ａはコンテンツ検索画面、４４ａは「映画」タグ、４４ｂは「スポーツ」タグ、４４ｃは「趣味教養」タグ、４４ｄは「プレイリスト」タグ、４４ｅは「ダウンロード」タグ、４４ｆは「レンタル」タグ、４４ｇは「写真」タグ、４４ｈは「動画」タグ、４４ｉは「音楽」タグ、４４ｊは「ビデオメール」タグであり、図３に対応する部分には同一符号をつけて重複する説明を省略する。
【００８３】
このコンテンツ検索画面５ａでは、フォルダ／ジャンル選択欄２５でジャンルのタグが表示される。ここでは、ジャンルのタグとして、「映画」タグ４４ａ，「スポーツ」タグ４４ｂ，「趣味教養」タグ４４ｃ，「プレイリスト」タグ４４ｄ，「ダウンロード」タグ４４ｅ，「レンタル」タグ４４ｆ，「写真」タグ４４ｇ，「動画」タグ４４ｈ，「音楽」タグ４４ｉ，「ビデオメール」タグ４４ｊを例として示している。
【００８４】
いま、この場合のデフォルトとして、「映画」タグ４４ａが選択されているものとすると、このジャンル「映画」に対するメタデータのコンテンツ属性データ３１がコンテンツ一覧表示／選択欄２６に表示され、これに対する１以上の優先順位が最上位のサムネール画像３２がサムネール画像表示／選択欄２７に表示される。
【００８５】
かかるコンテンツ検索画面５ａに対するカーソル６のリモコン８（図８）での移動操作は、図８での説明と同様である。
【００８６】
図１２（ａ），（ｂ）はコンテンツ検索画面の他の具体例を示す図であって、５ｂ1，５ｂ2はコンテンツ検索画面、３２ａ，３２ｂはサムネール画像であり、要部にのみ符号を付し、図１１に対応する部分には同一符号をつけて重複する説明を省略する。
【００８７】
図１１に示すコンテンツ検索画面５０ａでリモコン８の十字キー８ａの右方向ボタン８ａＲが操作されると、図１２（ａ）に示すコンテンツ検索画面５ｂ1となる。このコンテンツ検索画面５ｂ1では、メタデータ３０ａの最初のサムネール画像３２ａにカーソル６が位置付けられており、このサムネール画像３２ａが選択された状態にある。
【００８８】
かかる状態で、リモコン８の右方向ボタン８ａＲが操作されると、その操作毎にカーソル６が右方向にサムネール画像３２の１つずつ移動していくが、カーソル６がメタデータ一覧表示エリア２２の右端部での表示される右端のサムネール画像３２ｂに達すると、図１２（ｂ）に示すように、このメタデータ３０ａが左方向にスクロールし、右端から新たなサムネール画像３２が順次現われて表示されるようになる。また、このメタデータ３０ａのコンテンツ属性データ３１やそれに続くサムネール画像３２は表示されなくなる。
【００８９】
このようにして、サムネール画像３２の個数の多く、一部のサムネール画像３２しか表示されないメタデータ３０に対しては、かかるメタデータ３０のコンテンツ属性データ３１やそれに続くサムネール画像３２の配列がスクロールし、これまで表示されていなかったサムネール画像３２が表示されるようになり、これにより、全てのサムネール画像３２を選択できることになる。
【００９０】
なお、コンテンツ属性データ３１やそれに続くサムネール画像３２の配列が左方向にスクロールし、左側に配列されるサムネール画像３２が表示されない状態にあるときには、カーソル６を表示されるサムネール画像の配列の左端に移動させ、さらにリモコン８の左方向ボタン８ａＬを操作することにより、このコンテンツ属性データ３１やそれに続くサムネール画像３２の配列を右方向にスクロールさせることができ、これにより、これまで表示されていなかった左側のサムネール画像３２を左側から表示させることができる。
【００９１】
前出のコンテンツ検索画面５の操作ガイダンス２３には、「〔黄〕サムネール切り替え」の表示からなるガイダンス２３ｄがあり、リモコン８の黄色ボタン８ｇ（図９）を操作することにより、異なるルールのサムネール画像への切り替えを行なうことができることが示されている。例えば、図１１に示すコンテンツ検索画面５ａでリモコン８の黄色ボタン８ｇを操作したときのコンテンツ検索画面５を図１３（ａ），（ｂ）に示す。なお、図１３（ａ），（ｂ）において、５ｃはコンテンツ検索画面、６ａはカーソル、４５はメニュー画面であり、前出図面に対応する部分には同一符号をつけて重複する説明を省略する。
【００９２】
図１１に示すコンテンツ検索画面５ａが表示されている状態で、その操作ガイダンス２３での「〔黄〕サムネール切り替え」のガイダンス２３ｄに従って、リモコン８の黄色ボタン８ｇを操作すると、図１３（ａ）に示すコンテンツ検索画面５ｃ1となり、サムネール画像の抽出ルールの一覧（即ち、ルール１〜４）が表示されるメニュー画面４５が表示され、また、カーソル６ａが表示されてこれらルールのいずれかが選択された状態となる。この場合には、メタデータ３０などを選択するためのカーソル６はリモコン８の操作に対して非稼働状態にあり、メニュー画面４５内でのカーソル６ａがリモコン８の操作に応じて移動する。
【００９３】
そこで、リモコン８の十字キー８ａでの上方向ボタン８ａＵまたは下方向ボタン８ａＤを操作することにより、カーソル６ａを上または下方向に移動させ、メニュー画面４５での所望とするルール、例えば、「ルール２」を選択し、リモコン８の決定ボタン８ｂを操作すると、このカーソル６ａで選択された「ルール２」が決定されることになり、図１３（ｂ）に示すコンテンツ検索画面５ｃ2のように、カーソル６によって選択されているメタデータ３０ａのサムネール画像３２が、これまでのルール１のサムネール画像からルール２のサムネール画像３２に変更される。そして、これとともに、このメタデータ３０ａのコンテンツ属性データ３１でのサムネール画像の抽出ルールの表示が、「サムネール：ルール１」から「サムネール：ルール２」に変更され、サムネール画像３２がルール２によるものであることが表示される。
【００９４】
上記とは異なる他のコンテンツ（例えば、メタデータ３０ｂ）に対して、コンテンツ検索画面５に表示するサムネール画像３２を異なるルールによるものに変更する場合には、例えば、図１１に示すコンテンツ検索画面５ａの表示状態において、リモコン８の十字キー８ａの下方向ボタン８ａＤを１回操作することにより、カーソル６を下方向に移動させてメタデータ３０ｂを選択した状態とし、しかる後、図１３（ａ），（ｂ）で説明したリモコン８の操作をすればよい。
【００９５】
このように、コンテンツ検索画面５で最初に表示されるコンテンツのデフォルトのサムネール画像３２は、決められた優先順位で最上位のルールによるサムネール画像３２となり、これが表示されるが、リモコン８の黄色ボタン８ｇを操作することにより、任意のルールによるサムネール画像３２が表示された状態とすることができる。そして、このように、別のルールによるサムネール画像３２に変更されてコンテンツ検索画面５の表示が終了した場合、次にこのコンテンツ検索画面５が表示されるときには、前回のコンテンツ検索画面５で最後に表示されたサムネール画像３２のルールが優先度が最上位のルールとなりこのルールによるサムネール画像３２がデフォルトとして表示される。
【００９６】
図１３（ａ），（ｂ）に示すリモコン８の操作では、選択された１つのメタデータ３０について、サムネール画像３２を異なるルールのサムネール画像３２に変更するものであったが、リモコン８の黄色ボタン８ｇ（図９）の操作により、メタデータ一覧表示エリア２２に表示される全てのメタデータ３０について、サムネール画像３２を同時に異なるルールによるサムネール画像３２に変更することができる。これを、図１４（ａ），（ｂ）によって説明する。なお、図１４（ａ），（ｂ）において、５ｄ1，５ｄ2はコンテンツ検索画面、６ｂはカーソル、４５ａはメニュー画面であり、前出図面に対応する部分には同一符号をつけて重複する説明を省略する。
【００９７】
例えば、図１１に示すコンテンツ検索画面５ａが表示されている状態で、リモコン８の十字キー８ａの左方向ボタン８ａＬを操作することにより、カーソル６をフォルダ／ジャンル選択欄２５の現在選択決定されているジャンルのタグ（ここでは、「映画」タグ４４ａ）に移し、かかる状態で、操作ガイダンス２３での「〔黄〕サムネール切り替え」のガイダンス２３ｄに従って、リモコン８の黄色ボタン８ｇを操作すると、図１４（ａ）に示すコンテンツ検索画面５ｄ1となり、サムネール画像の抽出ルールの一覧（ここでは、ルール１〜４）が表示されるメニュー画面４５ａが表示され、また、カーソル６ａが表示されてこれらルールのいずれかが選択された状態となる。このときには、カーソル６はリモコン８の操作に対して非稼働状態にあって、「映画」タグ４４ａを選択した状態に固定され、メニュー画面４５ａ内でのカーソル６ａがリモコン８の操作に応じて移動する。
【００９８】
そこで、リモコン８の十字キー８ａでの上方向ボタン８ａＵまたは下方向ボタン８ａＤを操作することにより、カーソル６ａを上または下方向に移動させ、メニュー画面４５での所望とするルール、例えば、「ルール３」を選択し、リモコン８の決定ボタン８ｂを操作すると、このカーソル６ａで選択された「ルール３」が決定されることになり、図１４（ｂ）に示すコンテンツ検索画面５ｄ2のように、表示される全てのメタデータ３０のサムネール画像３２が、これまでのルール１のサムネール画像からルール３のサムネール画像３２に変更される。そして、これとともに、これらメタデータ３０のコンテンツ属性データ３１でのサムネール画像の抽出ルールの表示が、「サムネール：ルール１」から「サムネール：ルール３」に変更され、サムネール画像３２がルール３によるものであることが表示される。
【００９９】
なお、図１４（ａ），（ｂ）に示す操作によると、メタデータ３０の中でルールが異なるサムネール画像３２のメタデータ３０があっても、かかるルールの変更操作をすることにより、表示される全てのメタデータで指定された同じルールのサムネール画像３２が表示されることになる。
【０１００】
このように、コンテンツ検索画面５のデフォルトでは、各メタデータ３０に予め決められた優先順位のサムネール画像３２が表示されるが、リモコン８の黄色ボタン８ｇを操作することにより、任意のルールによるサムネール画像３２が表示された状態とすることができる。
【０１０１】
そして、このように、これまでとは異なるルールによるサムネール画像３２に表示が変更された場合、この変更されたルールによるサムネール画像３２が表示された状態でコンテンツ検索画面５の表示が終了すると、次にこのコンテンツ検索画面５が表示されるときには、この変更されたルールによるサムネール画像３２がデフォルトのサムネール画像３２となる。即ち、前回最終的に表示されたルールによるサムネール画像３２が、次回表示されるコンテンツ検索画面５でのデフォルトのサムネール画像３２となる。
【０１０２】
なお、図１３（ａ），（ｂ）及び図１４（ａ），（ｂ）は、フォルダ／ジャンル選択欄２５で「ジャンル」が選択されているコンテンツ検索画面５に関するものであったが、図３や図１０に示す「フォルダ」が選択されているコンテンツ検索画面５の場合も、同様である。
【０１０３】
各コンテンツ検索画面５では、操作ガイダンス２３において、「〔赤〕削除」とのガイダンス２３ｃが表示されており、リモコン８の赤色ボタン８ｅの操作により、カーソル６によって選択されたメタデータ３０やサムネール画像３２を削除できることが示されている。これを、図１５を用いて説明する。
【０１０４】
例えば、図１２（ａ）に示すように、所望とするメタデータ、例えば、メタデータ３０ａの最初のサムネール画像３２がカーソル６で選択された状態にあるコンテンツ検索画面５ｂ1に対し、リモコン８の赤色ボタン８ｅが操作されると、図１５（ａ）に示すように、図１２（ａ）に示すコンテンツ検索画面５ｂ1でのメタデータ３０ａの最初のサムネール画像３０が削除され、このメタデータ３０ａで次からのサムネール画像が１つずつ繰り上がって配列されるコンテンツ検索画面５ｅが表示される。
【０１０５】
なお、これは、コンテンツ検索画面５ｅでこの指定されたサムネール画像３２が削除されるものであって、メタデータＤＢ２ｅ（図１，図４）では、削除されていない。この場合、メタデータ３０ａでのサムネール画像の抽出ルールはルール１となっているが、図１３で説明したように、このメタデータ３０ａに対し、再度ルール１を指定することにより、ルール１によるサムネール画像３２がメタデータＤＢ２ｅから全て読み出され、もとの図１２（ａ）に示す表示状態となる。従って、先に削除されたサムネール画像３２は、復帰して表示されることになる。
【０１０６】
また、例えば、図１１に示すように、所望とするメタデータ、例えば、メタデータ３０ａのコンテンツ属性データ３１がカーソル６で選択された状態にあるときに、リモコン８の赤色ボタン８ｅが操作されると、このメタデータ３０ａ全体が削除され、図１５（ｂ）に示すように、メタデータ３０ｂ以下のメタデータ３０が繰り上がり、メタデータ３０ｂが最上に表示されてそのコンテンツ属性データ３１がカーソル６で選択された状態にあるコンテンツ検索画面５ｆが表示される。かかる状態で、カーソル６をフォルダ／ジャンル選択欄２５での現在選択されているタグ（ここでは、「映画」タグ４４ａ）に移し、リモコン８の決定ボタン８ｂを操作することにより、このタグに該当するジャンルのメタデータ３０が再度メタデータＤＢ２ｅから読み出されて表示されることになり、これにより、上記の削除されたメタデータ３０ａも再び表示されることになる。
【０１０７】
このようにして、不要とするコンテンツのメタデータ３０や、メタデータ３０の中の不要とするサムネール画像３２を削除して、必要なメタデータ３０のみを必要なサムネール画像３２だけ表示させることもできる。
【０１０８】
なお、ここでは、フォルダ／ジャンル選択欄２５で「ジャンル」が選択されているコンテンツ検索画面５に関するものであったが、図３や図１０に示す「フォルダ」が選択されているコンテンツ検索画面５の場合も、同様である。
【０１０９】
図１１に示すように、コンテンツ検索画面５ａでいずれかのメタデータ、例えば、メタデータ３０ａのコンテンツ属性データ３１がカーソル６で選択されている状態にあるとき、リモコン８の決定ボタン８ｂが操作されると、コンテンツＤＢ２ｄ（図１，図４）に記憶されているこのメタデータ３０ａに対するコンテンツがその開始から読み出され、表示装置３（図１）に供給されて、図１６（ａ）に示すように、表示画面４にコンテンツ映像４６として表示される。
【０１１０】
また、図１２（ａ）に示すように、コンテンツ検索画面５ａでいずれかのメタデータ３０のいずれかのサムネール画像３２、例えば、メタデータ３０ａのサムネール３２ａがカーソル６で選択されている状態にあるとき、リモコン８の決定ボタン８ｂが操作されると、コンテンツＤＢ２ｄ（図１，図４）に記憶されているこのメタデータ３０ａに対するコンテンツが、このカーソル６で選択されているサムネール画像３２ａに該当する時刻から読み出され、表示装置３（図１）に供給されて、図１６（ａ）に示すように、表示画面４にコンテンツ映像４６として表示される。
【０１１１】
ここで、このサムネール画像３２ａに該当する時刻とは、図４で説明した時刻情報付加部４１1〜４１4でサムネール画像に付加された時刻情報であり、また、該当するコンテンツＣutには、時刻情報付加部３４により、該当するサムネール画像が抽出した時点にこのサムネール画像と同じ時刻情報が付加されている。そこで、マイコン２ｂ（図２）の制御のもとに、サムネール画像３２が、上記のように、決定ボタン８ｂの操作によって選択決定されると、このサムネール画像３２に付加されている時刻情報の時刻と等しい時刻の時刻情報が付加されている位置から該当するコンテンツのコンテンツＤＢ２ｄからの読み出しを行ない、表示装置３に供給する。これにより、選択決定されたサムネール画像３２に応じて位置からのコンテンツの読み出し再生が行なわれることになる。
【０１１２】
図１６（ａ）に示す状態でリモコン８のメタデータＯＮ／ＯＦＦボタン８ｊ（図９）を操作すると、図１６（ｂ）に示すように、表示画面４の辺部、例えば、下辺部にこの表示されるコンテンツに該当するコンテンツ検索画面５に表示されていたメタデータ３０を表示され、そのいずれかのサムネール３２上にカーソル６が表示される。そして、リモコン８の十字キー８ａの右方向ボタン８ａＲまたは左方向ボタン８ａＬを操作する毎に、カーソル６が右方向にあるいは左方向に隣りのサムネール画像３２に順次移動する。これにより、いずれかのサムネール画像３２を選択することができるが、いずれかのサムネール画像を選択している状態でリモコン８の決定ボタン８ｂが操作されると、コンテンツが再生されてその映像４６が表示されているが、その選択されているサムネール画像３２に付加されている時刻情報に該当するコンテンツでの位置から再生表示が開始されることになる。
【０１１３】
なお、図１６（ｂ）に示す状態で、リモコン８のメタデータＯＮ／ＯＦＦボタン８ｊが再度操作されると、メタデータ３０とカーソル６との表示が終了し、図１６（ａ）に示す表示状態となる。
【０１１４】
このようにして、選択された録画コンテンツの再生が行なわれていても、リモコン８でのメタデータＯＮ／ＯＦＦボタン８ｊと十字キー８ａと決定ボタン８ｂとの操作により、このコンテンツの所望の位置からの再生を行なわせることができる。
【０１１５】
図１７はコンテンツ検索画面５でのメタデータ３０の表示形態の他の具体例を示す図であって、４７はサムネール画像隠し部であり、前出図面に対応する部分には同一符号をつけて重複する説明を省略する。
【０１１６】
図１７（ａ）は図１２（ａ）に示すコンテンツ検索画面５ｂ1と同じ内容のコンテンツ検索画面５であり、例えば、先頭のメタデータ３０ａの先頭のサムネール画像３２がカーソル６によって選択された状態にある。サムネール画像３２は、指定されたルールに従って、コンテンツの全体から抽出されたものであるが、この具体例では、コンテンツの最後の部分では、このコンテンツの内容（例えば、ドラマやスポーツなど）のクライマックスとなるものであって、このような場面はユーザに知らせないようにするものであり、このような部分のサムネール画像３２をコンテンツ検索画面５に表示しないようにするものである。
【０１１７】
そこで、図１７（ａ）に示すコンテンツ検索画面５において、ユーザがこのコンテンツをどの位置から見るかを決めるために、リモコン８の十字キー８ａの右方向ボタン８ａＲを操作することにより、カーソル６をサムネール画像３２の配列に沿って右方向に移動させ、サムネール画像３２を１つずつ確認していく場合もあるが、このコンテンツの終わり頃の場面に対するサムネール画像３２に対しては、図１７（ｂ）に示すように、サムネール画像隠し部４７として、サムネール画像３２を表示しないようにする。これにより、ユーザはこのコンテンツの結末などの場面を知ることができず、コンテンツを見る前から予め結末を知ってしまうということを防止することができる。
【０１１８】
図１８は以上のリモコン８の操作によるこの実施形態の動作を示すフローチャートである。
【０１１９】
リモコン８の電源ボタン８ｃ（図９）の操作によってＴＶ受像機１（図１）に電源が投入されると、その表示装置３の表示画面４に受信チャンネルのコンテンツの映像が表示される。
【０１２０】
かかる状態で、リモコン８のコンテンツ検索画面（ＧＵＩ）呼出ボタン８ｈが操作されると（ステップ１００）、例えば、図１１に示すコンテンツ検索画面５ａが表示される（ステップ１０１）。
【０１２１】
このコンテンツ検索画面５ａにおいて、リモコン８の十字キー８ａの右方向ボタン８ａＲを操作してカーソル６を右方向に移動させると（ステップ１０２）、図１２（ａ）に示すように、カーソル６をサムネール画像３２に移動し、このリモコン８の操作を続けると（ステップ１０４）、図１２（ｂ）に示すように、サムネール画像３２の配列が左方向にスクロールする状態となり、これまで表示されなかったサムネール画像３２が表示されるようになる。
【０１２２】
また、図１２（ｂ）に示す状態でリモコン８の十字キー８ａの左方向ボタン８ａＬを操作してカーソル６を左方向に移動させて図１２（ａ）に示す状態とし（ステップ１０５）、さらに、カーソル６を左方向に移動させて（ステップ１０２）、カーソル６がコンテンツ属性データ３１と一致させ、かかる状態でリモコン８の黄色ボタン８ｇが操作されると（ステップ１０６）、図１３（ａ）に示すように、サムネール画像のルール変更メニュー画面４５が表示され（ステップ１０７）、カーソル６ａを移動させて１つのルールを選択し、リモコン８の決定ボタン８ｂが操作されると、図１３（ｂ）に示すように、カーソル６でコンテンツ属性データ３１が選択されているコンテンツのサムネール画像がこのカーソル６ａによって選択されたルールのサムネール画像３２に変更される（ステップ１０８）。
【０１２３】
さらに、例えば、図１１に示すコンテンツ検索画面５や図１３（ｂ）に示すコンテンツ検索画面５ｃ2などにおいて（ステップ１０１）、リモコン８の十字キー８ａの左方向ボタン８ａＬを操作してカーソル６を左方向に移動させ（ステップ１０２）、カーソル６をフォルダ／ジャンル選択欄２５に移動させて現在選択されているタグに一致させ、かかる状態でリモコン８の黄色ボタン８ｇが操作されると（ステップ１０９）、図１４（ａ）に示すように、サムネール画像のルール変更メニュー画面４５ａが表示され（ステップ１１０）、カーソル６ｂを移動させて１つのルールを選択し、リモコン８の決定ボタン８ｂが操作されると、図１４（ａ）に示すように、このときのコンテンツ検索画面５に表示されている全てのコンテンツのサムネール画像がこのカーソル６ａによって選択されたルールのサムネール画像３２に変更される（ステップ１１１）。
【０１２４】
また、例えば、カーソル６がコンテンツのコンテンツ属性データ３１に一致した、例えば、図１１に示すコンテンツ検索画面５ａにおいて、リモコン８の十字キー８ａの右方向ボタン８ａＲを操作することにより、図１２（ａ）や図１２（ｂ）に示すように、カーソル６を所定のサムネール画像３２に一致した状態とし（ステップ１１２）、かかる状態でリモコン８の決定ボタン８ｂが操作されると（ステップ１１３）、このサムネール画像３２に付加されている時刻情報に応じて位置からコンテンツが再生され、図１６（ａ）に示すように、表示画面４にその映像が表示される（ステップ１１４）。そして、かかる状態で、リモコン８のメタデータＯＮ／ＯＦＦボタン８ｊが操作されると（ステップ１１６）、図１６（ｂ）に示すように、コンテンツの映像が表示された状態で、このコンテンツに関するメタデータ３０がカーソル６とともに表示される（ステップ１１６）。リモコン８の十字キー８ａでの右方向ボタン８ａＲや左方向ボタン８ａＬを操作することにより、カーソル６をサムネール画像の配列に沿って移動させることができ、所望のサムネール画像３２を選択してリモコン８の決定ボタン８ｂを操作することにより、この選択決定されたサムネール画像３２に付加された時刻情報に該当するコンテンツの位置からの再生が設定され、この位置からのコンテンツの表示が開始される。
【０１２５】
図１６（ｂ）に示すコンテンツの映像４６の表示状態でリモコン８のメタデータＯＮ／ＯＦＦボタン８ｊが操作されると（ステップ１１７）、メタデータ３０の表示が終了して、図１６（ａ）に示すコンテンツの映像４６だけが表示された状態に戻る（ステップ１１４）。そして、この状態でリモコン８のコンテンツ検索画面（ＧＵＩ）呼出ボタン８ｈが操作されると（ステップ１１８）、例えば、図１１に示すコンテンツ検索画面５ａが表示される状態となる（ステップ１０１）。
【０１２６】
なお、コンテンツ検索画面５が表示されている状態でリモコン８のコンテンツ検索画面（ＧＵＩ）呼出ボタン８ｈが操作されると、コンテンツ検索画面５の表示が終了し、受信チャンネルの映像の表示状態となる（ステップ１１９）。
【０１２７】
このようにして、この実施形態では、録画するコンテンツの受信時、このコンテンツから異なる複数のルールに従って、複数の異なるサムネール画像群が抽出され、そのいずれかがサムネール画像の配列として表示されることになり、かかるサムネール画像の配列からこのコンテンツの内容を概略的に把握することが可能となる。
【０１２８】
また、かかるコンテンツ画像の配列の中から希望するサムネール画像をリモコン８の操作によって選択決定することにより、これに対するコンテンツをこのサムネール画像の映像が存在する位置から再生して表示させることができ、再生表示を希望するコンテンツの希望する位置からの再生表示を行なわせることができる。従って、途中まで見ていたり、見る時間があまりないなどの理由から、ユーザが希望するコンテンツを途中の興味のあるところから見たい場合などでは、その見始める位置を容易に決めることができる。
【０１２９】
さらに、複数のルール毎にサムネール画像群が得られるものであるから、そのうちのユーザが好むルールによって得られたサムネール画像群を選択して表示させることができ、興味のある場面を容易に見つけ出すことができる。
【図面の簡単な説明】
【０１３０】
【図１】本発明によるコンテンツ情報表示装置及び方法の一実施形態を示す構成図である。
【図２】図１における装置本体の回路構成の一具体例を示すブロック構成図である。
【図３】図１での表示装置の表示画面に表示されるコンテンツ検索画面の一具体例を示す図である。
【図４】図１における番組情報抽出部の一具体例の要部を示すブロック構成図である。
【図５】図４における番組情報抽出部での各ルールによるサムネール画像の抽出動作を模式的に示すタイミング図である。
【図６】サムネール画像信号によるルール毎のサムネール画像群を模式的に示す図である。
【図７】各ルール毎の各サムネール画像のメタデータＤＢでの記憶位置を模式的に示す図である。
【図８】各ユーザのフォルダを概略的に示す図である。
【図９】図１におけるリモコンの操作面の一具体例を示す外観図である。
【図１０】図３に示すコンテンツ検索画面でフォルダ／ジャンル選択欄での他のフォルダが選択決定されたときのコンテンツ検索画面を示す図である。
【図１１】フォルダ／ジャンル選択欄でジャンルが設定されたコンテンツ検索画面の一具体例を示す図である。
【図１２（ａ）】コンテンツ検索画面の他の具体例を示す図である。
【図１２（ｂ）】図１２（ａ）に示すコンテンツ検索画面でカーソルをメタデータの右端に移動させてリモコンの右方向ボタンを操作したときのコンテンツ検索画面を示す図である。
【図１３（ａ）】メタデータが選択された状態の図１１に示すコンテンツ検索画面でリモコンの黄色ボタンを操作したときのコンテンツ検索画面を示す図である。
【図１３（ｂ）】図１３（ａ）にコンテンツ検索画面でのメニュー画面でルールを選択したときのコンテンツ検索画面を示す図である。
【図１４（ａ）】ジャンルのタグが選択された状態の図１１に示すコンテンツ検索画面でリモコンの黄色ボタンを操作したときのコンテンツ検索画面を示す図である。
【図１４（ｂ）】図１４（ａ）にコンテンツ検索画面でのメニュー画面でルールを選択したときのコンテンツ検索画面を示す図である。
【図１５】リモコンの赤色ボタンを操作したときのコンテンツ検索画面を示す図である。
【図１６】コンテンツ検索画面で選択されたコンテンツ属性データもしくはサムネール画像に対してリモコンの決定ボタンが操作されることによるコンテンツの表示状態を示す図である。
【図１７】コンテンツ検索画面でのメタデータの表示形態の他の具体例を示す図である。
【図１８】リモコン８の操作による動作を示すフローチャートである。
【符号の説明】
【０１３１】
１  ＴＶ受像機
２  装置本体
２ａ  リモコン受光部
２ｂ  マイコン
２ｃ  記憶装置
２ｄ  コンテンツＤＢ
２ｅ  メタデータＤＢ
２ｆ  チューナ
３  表示装置
４  表示画面
５，５ａ〜５ｆ，５ｂ1，５ｂ2  コンテンツ検索画面
６，６ａ，６ｂ  カーソル
７  アンテナ
８  リモコン
８ａ  十字キー
８ａＵ  上方向ボタン
８ａＤ  下方向ボタン
８ａＲ  右方向ボタン
８ａＬ  左方向ボタン
８ｂ  決定ボタン
８ｃ  電源ボタン
８ｄ  青色ボタン
８ｅ  赤色ボタン
８ｆ  緑色ボタン
８ｇ  黄色ボタン
８ｈ  コンテンツ検索画面（ＧＵＩ）呼出ボタン
８ｉ  戻るボタン
８ｊ  メタデータＯＮ／ＯＦＦボタン
８ｋ  録画関連ボタン
９  メタデータ提供サーバ
１０  ネットワーク
１１  番組情報抽出部
１２  音声再生部
１３  映像再生部
１４  表示合成部
１５  メモリ
１６  ＨＤＤ
１７  ＤＶＤ
１８  外部インターフェイス部
１９  メモリ
２０  画像生成部
２１  項目欄
２２  メタデータ一覧表示エリア
２３  操作ガイダンス
２３ａ〜２３ｄ  ガイダンス
２４  メタデータ保存場所選択欄
２５  フォルダ／ジャンル選択欄
２６  コンテンツ一覧表示／選択欄
２７  サムネール画像表示／選択欄
２８ａ〜２８ｆ  コンテンツ保存場所タグ
２９ａ〜２９ｅ  フォルダタグ
３０ａ〜３０ｈ  メタデータ
３１  コンテンツ属性データ
３２，３２ａ，３２ｂ  サムネール画像
３３  入力端子
３４  時刻情報付加部
３５  タイマ
３６1  時間計測部
３６2〜３６4  時刻検出部
３７1〜３７4  サムネール抽出部
３８  音声盛り上がり検出部
３９  テキスト検出部
４０  ＣＭ（コマーシャルデータ）終了検出部
４１1〜４１4  時刻情報付加部
４２1〜４２4  メモリ
４３ａ  「お父さん」フォルダ
４３ｂ  「お母さん」フォルダ
４３ｋ  「フォルダの外」フォルダ
４４ａ  「映画」タグ
４４ｂ  「スポーツ」タグ
４４ｃ  「趣味教養」タグ
４４ｄ  「プレイリスト」タグ
４４ｅ  「ダウンロード」タグ
４４ｆ  「レンタル」タグ
４４ｇ  「写真」タグ
４４ｈ  「動画」タグ
４４ｉ  「音楽」タグ
４４ｊ  「ビデオメール」タグ
４５，４５ａ  ルール変更メニュー画面
４６  コンテンツの映像
４７  サムネール隠し部
【図１】
0004945497.tif 000002
【図２】
0004945497.tif 000003
【図３】
0004945497.tif 000004
【図４】
0004945497.tif 000005
【図５】
0004945497.tif 000006
【図６】
0004945497.tif 000007
【図７】
0004945497.tif 000008
【図８】
0004945497.tif 000009
【図９】
0004945497.tif 000010
【図１０】
0004945497.tif 000011
【図１１】
0004945497.tif 000012
【図１２（ａ）】
0004945497.tif 000013
【図１２（ｂ）】
0004945497.tif 000014
【図１３（ａ）】
0004945497.tif 000015
【図１３（ｂ）】
0004945497.tif 000016
【図１４（ａ）】
0004945497.tif 000017
【図１４（ｂ）】
0004945497.tif 000018
【図１５】
0004945497.tif 000019
【図１６】
0004945497.tif 000020
【図１７】
0004945497.tif 000021
【図１８】
0004945497.tif 000022